【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
パーソナルオーディオシステムであって、前記パーソナルオーディオシステムは、
再現のためのオーディオのソースであって、前記オーディオのソースは、ソースオーディオ信号を提供する、オーディオのソースと、
第１の変換器であって、前記第１の変換器は、聴取者への再生のための前記ソースオーディオ信号と、前記第１の変換器の音響出力内の周囲オーディオ音の影響を打ち消すための第１の反雑音信号との高周波数コンテンツを再現する、第１の変換器と、
第２の変換器であって、前記第２の変換器は、前記聴取者への再生のための前記ソースオーディオ信号と、前記第２の変換器の音響出力内の周囲オーディオ音の影響を打ち消すための第２の反雑音信号との低周波数コンテンツを再現する、第２の変換器と、
前記周囲オーディオ音を示す少なくとも１つのマイクロホン信号を提供するための少なくとも１つのマイクロホンと、
第１のフィルタを使用して前記第１の反雑音信号を前記少なくとも１つのマイクロホン信号から発生させ、前記少なくとも１つのマイクロホン信号と一致するように、前記第１の変換器および前記第２の変換器における前記周囲オーディオ音の存在を低減させる、処理回路であって、前記処理回路は、第２のフィルタを使用して前記第２の反雑音信号を前記少なくとも１つのマイクロホン信号から発生させ、前記少なくとも１つのマイクロホン信号と一致するように、前記第１の変換器および前記第２の変換器における前記周囲オーディオ音の存在を低減させる、処理回路と
を備える、パーソナルオーディオシステム。
【請求項２】
前記第１のフィルタは、前記周囲オーディオ音の存在を低減させるように適応する第１の応答を有する第１の適応フィルタであり、前記第２のフィルタは、前記周囲オーディオ音の存在を低減させるように適応する第２の適応フィルタである、請求項１に記載のパーソナルオーディオシステム。
【請求項３】
前記処理回路は、前記第１の適応フィルタの第１の周波数応答を第１の既定周波数範囲に限定することによって、前記第１の反雑音信号のコンテンツを前記第１の既定周波数範囲に制限し、前記処理回路は、前記第２の適応フィルタの第２の応答を第２の既定周波数範囲に限定することによって、前記第２の反雑音信号のコンテンツを前記第２の既定周波数範囲に制限し、前記第１の既定周波数範囲および前記第２の既定周波数範囲は、実質的に異なり、それによって、前記第１の適応フィルタおよび前記第２の適応フィルタは、前記少なくとも１つのマイクロホン信号を複数の周波数帯に分離するためのクロスオーバとして動作する、請求項２に記載のパーソナルオーディオシステム。
【請求項４】
前記第１の変換器および前記第２の変換器の周囲オーディオ音および音響出力を示すエラーマイクロホン信号を提供するためのエラーマイクロホンをさらに備え、前記第１の適応フィルタは、前記エラーマイクロホン信号内に存在する基準マイクロホン信号の成分を最小限にするように適応する第１の係数発生器を有し、前記処理回路は、前記第１の係数発生器に入力された第１の信号の周波数コンテンツを改変することによって、前記第１の周波数応答の適応を制限し、前記第２の適応フィルタは、前記エラーマイクロホン信号内に存在する基準マイクロホン信号の成分を最小限にするように適応する第２の係数発生器を有し、前記処理回路は、前記第２の係数発生器に入力された第２の信号の周波数コンテンツを改変することによって、前記第１の周波数応答の適応を制限する、請求項３に記載のパーソナルオーディオシステム。
【請求項５】
前記処理回路は、前記第２の既定周波数範囲内における第１の既定周波数コンテンツを有する第１の付加的信号を、前記第１の係数発生器に入力された前記第１の信号に投入することによって、前記第１の係数発生器に入力された前記第１の信号の周波数コンテンツを改変し、前記処理回路は、前記第１の既定周波数範囲内における第２の既定周波数コンテンツを有する第２の付加的信号を前記第２の係数発生器に入力された前記第２の信号に投入することによって、前記第２の係数発生器に入力された前記第２の信号の周波数コンテンツを改変する、請求項４に記載のパーソナルオーディオシステム。
【請求項６】
前記第１の付加的信号および前記第２の付加的信号は、雑音信号である、請求項５に記載のパーソナルオーディオシステム。
【請求項７】
前記処理回路は、より高い周波数コンテンツソースオーディオ信号と、より低い周波数コンテンツソースオーディオ信号とを発生させるクロスオーバを提供するために、前記ソースオーディオ信号を受信し、前記ソースオーディオ信号をフィルタ処理し、前記処理回路はさらに、前記より高い周波数コンテンツソースオーディオ信号を前記第１の反雑音信号と組み合わせ、前記より低い周波数コンテンツソースオーディオ信号を前記第２の反雑音信号と組み合わせる、請求項１に記載のパーソナルオーディオシステム。
【請求項８】
前記第１の変換器は、イヤースピーカの高周波数変換器であり、前記第２の変換器は、前記イヤースピーカの低周波数変換器である、請求項１に記載のパーソナルオーディオシステム。
【請求項９】
第３の変換器であって、前記第３の変換器は、第２のソースオーディオ信号と、前記第３の変換器の音響出力内における周囲オーディオ音の影響を打ち消すための第３の反雑音信号との高周波数コンテンツを再現する、第３の変換器と、
第４の変換器であって、前記第４の変換器は、前記第２のソースオーディオ信号と、前記第４の変換器の音響出力内における周囲オーディオ音の影響を打ち消すための第４の反雑音信号との低周波数コンテンツを再現する、第４の変換器と
をさらに備え、
前記処理回路はさらに、第３のフィルタを使用して前記第３の反雑音信号および前記第４の反雑音信号を前記少なくとも１つのマイクロホン信号から発生させ、前記少なくとも１つのマイクロホン信号と一致するように、前記第３の変換器における前記周囲オーディオ音の存在を低減させ、前記処理回路は、第４のフィルタを使用して前記第４の反雑音信号を前記少なくとも１つのマイクロホン信号から発生させ、前記少なくとも１つのマイクロホン信号と一致するように、前記第４の変換器における前記周囲オーディオ音の存在を低減させる、請求項８に記載のパーソナルオーディオシステム。
【請求項１０】
パーソナルオーディオシステムによる周囲オーディオ音の影響を打ち消す方法であって、前記方法は、
少なくとも１つのマイクロホン信号を生成するために、少なくとも１つのマイクロホンを用いて、周囲オーディオ音を測定することと、
第１に、第１のフィルタを使用して第１の反雑音信号を前記少なくとも１つのマイクロホン信号から発生させることであって、前記少なくとも１つのマイクロホン信号と一致するように、第１の変換器における前記周囲オーディオ音の存在を低減させる、ことと、
第２に、第２のフィルタを使用して第２の反雑音信号を前記少なくとも１つのマイクロホン信号から発生させることであって、前記少なくとも１つのマイクロホン信号と一致するように、第２の変換器における前記周囲オーディオ音の存在を低減させる、ことと、
再現のためのオーディオのソースを提供することであって、前記オーディオのソースは、ソースオーディオ信号を提供する、ことと、
前記第１の変換器を用いて、前記ソースオーディオ信号と前記第１の反雑音信号との高周波数コンテンツを再現することと、
前記第２の変換器を用いて、前記ソースオーディオ信号と前記第２の反雑音信号との低周波数コンテンツを再現することと
を含む、方法。
【請求項１１】
前記第１のフィルタは、前記周囲オーディオ音の存在を低減させるように適応する第１の応答を有する第１の適応フィルタであり、前記第２のフィルタは、前記周囲オーディオ音の存在を低減させるように適応する第２の適応フィルタである、請求項１０に記載の方法。
【請求項１２】
前記第１の発生させることは、前記第１の適応フィルタの第１の周波数応答を第１の既定周波数範囲に限定することによって、前記第１の反雑音信号のコンテンツを前記第１の既定周波数範囲に制限することを含み、前記第２の発生させることはさらに、前記第２の適応フィルタの第２の応答を第２の既定周波数範囲に限定することによって、前記第２の反雑音信号のコンテンツを前記第２の既定周波数範囲に制限することを含み、前記第１の既定周波数範囲および前記第２の既定周波数範囲は、実質的に異なり、それによって、前記第１の適応フィルタおよび前記第２の適応フィルタは、前記少なくとも１つのマイクロホン信号を複数の周波数帯に分離するためのクロスオーバとして動作する、請求項１１に記載の方法。
【請求項１３】
エラーマイクロホン信号を発生させるために、エラーマイクロホンを用いて、前記第１の変換器および前記第２の変換器の周囲オーディオ音および音響出力を測定することをさらに含み、前記第１の発生させることは、前記エラーマイクロホン信号内に存在する基準マイクロホン信号の成分を最小限にするために、前記第１の周波数応答を制御する第１の係数発生器の係数を適応させることを含み、前記第２の発生させることは、前記エラーマイクロホン信号内に存在する基準マイクロホン信号の成分を最小限にするために、第２の周波数応答を制御する第２の係数発生器の係数を適応させることを含み、前記第１の発生させることは、前記第１の係数発生器に入力された第１の信号の周波数コンテンツを改変することによって、前記第１の周波数応答の適応を制限し、前記第２の発生させることは、前記第２の係数発生器に入力された第２の信号の周波数コンテンツを改変することによって、前記第２の周波数応答の適応を制限する、請求項１２に記載の方法。
【請求項１４】
前記第１の発生させることは、前記第２の既定周波数範囲内における第１の既定周波数コンテンツを有する第１の付加的信号を前記第１の係数発生器への少なくとも１つの第１の信号入力に投入することによって、前記第１の周波数応答の適応を制限し、前記第２の発生させることは、前記第１の既定周波数範囲内における第２の既定周波数コンテンツを有する第２の付加的信号を前記第２の係数発生器への少なくとも１つの第２の信号入力に投入することによって、前記第２の周波数応答の適応を制限する、請求項１３に記載の方法。
【請求項１５】
前記第１の付加的信号および前記第２の付加的信号は、雑音信号である、請求項１４に記載の方法。
【請求項１６】
より高い周波数コンテンツソースオーディオ信号と、より低い周波数コンテンツソースオーディオ信号とを発生させるクロスオーバを実装するために、前記ソースオーディオ信号を受信し、前記ソースオーディオ信号をフィルタ処理することと、
前記より高い周波数コンテンツソースオーディオ信号を前記第１の反雑音信号と組み合わせることと、
前記より低い周波数コンテンツソースオーディオ信号を前記第２の反雑音信号と組み合わせることと
をさらに含む、請求項１０に記載の方法。
【請求項１７】
前記第１の変換器は、イヤースピーカの高周波数変換器であり、前記第２の変換器は、前記イヤースピーカの低周波数変換器である、請求項１０に記載の方法。
【請求項１８】
第３の変換器の音響出力内における周囲オーディオ音の影響を打ち消すために、前記第３の変換器を用いて、第２のソースオーディオ信号と第３の反雑音信号との高周波数コンテンツを再現することと、
第４の変換器の音響出力内における周囲オーディオ音の影響を打ち消すために、前記第４の変換器を用いて、前記第２のソースオーディオ信号と第４の反雑音信号との低周波数コンテンツを再現することと、
第３のフィルタを使用して前記第３の反雑音信号および前記第４の反雑音信号を前記少なくとも１つのマイクロホン信号から発生させることであって、前記少なくとも１つのマイクロホン信号と一致するように、前記第３の変換器および前記第４の変換器における前記周囲オーディオ音の存在を低減させる、ことと、
第４のフィルタを使用して前記第４の反雑音信号を前記少なくとも１つのマイクロホン信号から発生させることであって、前記少なくとも１つのマイクロホン信号と一致するように、前記第３の変換器および前記第４の変換器における前記周囲オーディオ音の存在を低減させる、ことと
をさらに含む、請求項１７に記載の方法。
【請求項１９】
パーソナルオーディオシステムの少なくとも一部を実装するための集積回路であって、前記集積回路は、
再現のためのオーディオのソースであって、前記オーディオのソースは、ソースオーディオ信号を提供する、オーディオのソースと、
第１の出力信号を第１の変換器に提供するための第１の出力であって、前記第１の変換器は、前記ソースオーディオ信号と、前記第１の変換器の音響出力内の周囲オーディオ音の影響を打ち消すための第１の反雑音信号との高周波数コンテンツを再現する、第１の出力と、
第２の出力信号を第２の変換器に提供するための第２の出力であって、前記第２の変換器は、聴取者への再生のための第２のソースオーディオと、前記第２の変換器の音響出力内の周囲オーディオ音の影響を打ち消すための第２の反雑音信号との両方を含む前記ソースオーディオ信号の低周波数コンテンツを再現する、第２の出力と、
前記周囲オーディオ音を示す少なくとも１つのマイクロホン信号を提供するための少なくとも１つのマイクロホン入力と、
第１のフィルタを使用して前記第１の反雑音信号を前記少なくとも１つのマイクロホン信号から発生させ、前記少なくとも１つのマイクロホン信号と一致するように、前記第１の変換器および前記第２の変換器における前記周囲オーディオ音の存在を低減させる、処理回路であって、前記処理回路は、第２のフィルタを使用して前記第２の反雑音信号を前記少なくとも１つのマイクロホン信号から発生させ、前記少なくとも１つのマイクロホン信号と一致するように、前記第１の変換器および前記第２の変換器における前記周囲オーディオ音の存在を低減させる、処理回路と
を備える、集積回路。
【請求項２０】
前記第１のフィルタは、前記周囲オーディオ音の存在を低減させるように適応する第１の応答を有する第１の適応フィルタであり、前記第２のフィルタは、前記周囲オーディオ音の存在を低減させるように適応する第２の適応フィルタである、請求項１９に記載の集積回路。
【請求項２１】
前記処理回路は、前記第１の適応フィルタの第１の周波数応答を第１の既定周波数範囲に限定することによって、前記第１の反雑音信号のコンテンツを前記第１の既定周波数範囲に制限し、前記処理回路は、前記第２の適応フィルタの第２の応答を第２の既定周波数範囲に限定することによって、前記第２の反雑音信号のコンテンツを前記第２の既定周波数範囲に制限し、前記第１の既定周波数範囲および前記第２の既定周波数範囲は、実質的に異なり、それによって、前記第１の適応フィルタおよび前記第２の適応フィルタは、前記少なくとも１つのマイクロホン信号を複数の周波数帯に分離するためのクロスオーバとして動作する、請求項２０に記載の集積回路。
【請求項２２】
前記第１の変換器および前記第２の変換器の周囲オーディオ音および音響出力を示すエラーマイクロホン信号を提供するためのエラーマイクロホンをさらに備え、前記第１の適応フィルタは、前記エラーマイクロホン信号内に存在する基準マイクロホン信号の成分を最小限にするように適応する第１の係数発生器を有し、前記処理回路は、前記第１の係数発生器に入力された第１の信号の周波数コンテンツを改変することによって、前記第１の周波数応答の適応を制限し、前記第２の適応フィルタは、前記エラーマイクロホン信号内に存在する基準マイクロホン信号の成分を最小限にするように適応する第２の係数発生器を有し、前記処理回路は、前記第２の係数発生器に入力された第２の信号の周波数コンテンツを改変することによって、前記第１の周波数応答の適応を制限する、請求項２１に記載の集積回路。
【請求項２３】
前記処理回路は、前記第２の既定周波数範囲内における第１の既定周波数コンテンツを有する第１の付加的信号を、前記第１の係数発生器に入力された前記第１の信号に投入することによって、前記第１の係数発生器に入力された前記第１の信号の周波数コンテンツを改変し、前記処理回路は、前記第１の既定周波数範囲内における第２の既定周波数コンテンツを有する第２の付加的信号を、第２の第１の係数発生器に入力された前記第２の信号に投入することによって、前記第２の係数発生器に入力された前記第２の信号の周波数コンテンツを改変する、請求項２２に記載の集積回路。
【請求項２４】
前記第１の付加的信号および前記第２の付加的信号は、雑音信号である、請求項２３に記載の集積回路。
【請求項２５】
前記処理回路は、より高い周波数コンテンツソースオーディオ信号と、より低い周波数コンテンツソースオーディオ信号とを発生させるクロスオーバを提供するために、前記ソースオーディオ信号を受信し、前記ソースオーディオ信号をフィルタ処理し、前記処理回路はさらに、前記より高い周波数コンテンツソースオーディオ信号を前記第１の反雑音信号と組み合わせ、前記より低い周波数コンテンツソースオーディオ信号を前記第２の反雑音信号と組み合わせる、請求項１９に記載の集積回路。
【請求項２６】
前記第１の出力信号は、イヤースピーカの高周波数変換器に提供するように適応され、前記第２の出力信号は、前記イヤースピーカの低周波数変換器に提供するように適応されている、請求項１９に記載の集積回路。
【請求項２７】
第３の出力信号を第３の変換器に提供するための第３の出力であって、前記第３の変換器は、第２のソースオーディオ信号と、前記第３の変換器の音響出力内における周囲オーディオ音の影響を打ち消すための第３の反雑音信号との高周波数コンテンツを再現する、第３の出力と、
第４の出力信号を第４の変換器に提供するための第４の出力であって、前記第４の変換器は、前記第２のソースオーディオ信号と、第４の変換器の音響出力内における周囲オーディオ音の影響を打ち消すための第４の反雑音信号との低周波数コンテンツを再現する、第４の出力と
をさらに備え、
前記処理回路はさらに、第３のフィルタを使用して前記第３の反雑音信号および前記第４の反雑音信号を前記少なくとも１つのマイクロホン信号から発生させ、前記少なくとも１つのマイクロホン信号と一致するように、前記第３の変換器および前記第４の変換器における前記周囲オーディオ音の存在を低減させ、前記処理回路は、第４のフィルタを使用して前記第４の反雑音信号を前記少なくとも１つのマイクロホン信号から発生させ、前記少なくとも１つのマイクロホン信号と一致するように、前記第３の変換器および前記第４の変換器における前記周囲オーディオ音の存在を低減させる、請求項２６に記載の集積回路。
【請求項２８】
パーソナルオーディオシステムであって、前記パーソナルオーディオシステムは、
複数の出力変換器と、
周囲オーディオ音を示す少なくとも１つのマイクロホン信号を提供するための少なくとも１つのマイクロホンと、
適応雑音消去を実装する処理回路と
を備え、
複数の適応フィルタは、前記複数の出力変換器のうちの対応する出力変換器のための複数の反雑音信号を発生させ、複数の周波数帯のうちの対応する周波数帯内の前記複数の反雑音信号を発生させることによって、前記少なくとも１つのマイクロホン信号を前記複数の出力変換器に対応する前記複数の周波数帯に分離するためのクロスオーバとして動作する、パーソナルオーディオシステム。
【請求項２９】
パーソナルオーディオシステムによって、周囲オーディオ音の影響を打ち消す方法であって、前記方法は、
少なくとも１つのマイクロホン信号を発生させるために、少なくとも１つのマイクロホンを用いて周囲オーディオ音を測定することと、
複数の適応フィルタのうちの対応する適応フィルタを使用して、複数の出力変換器のうちの対応する出力変換器に提供するための複数の反雑音信号を発生させることと
を含み、
前記対応する適応フィルタは、複数の周波数帯のうちの対応する周波数帯内の前記複数の反雑音信号を発生させることによって、前記少なくとも１つのマイクロホン信号を前記複数の出力変換器に対応する前記複数の周波数帯に分離するためのクロスオーバとして動作する、方法。
【請求項３０】
パーソナルオーディオシステムの少なくとも一部を実装するための集積回路であって、前記集積回路は、
複数の出力信号を複数の出力変換器のうちの対応する出力変換器に提供するための複数の出力と、
周囲オーディオ音を示す少なくとも１つのマイクロホン信号を受信するための少なくとも１つのマイクロホン入力と、
適応雑音消去を実装する処理回路と
を備え、
複数の適応フィルタは、前記複数の出力のうちの対応する出力において複数の反雑音信号を発生させ、複数の周波数帯のうちの対応する周波数帯内の前記複数の反雑音信号を発生させることによって、前記少なくとも１つのマイクロホン信号を前記複数の出力変換器に対応する前記複数の周波数帯に分離するためクロスオーバとして動作する、集積回路。
【手続補正２】
【補正対象書類名】明細書
【補正対象項目名】０００７
【補正方法】変更
【補正の内容】
【０００７】
本発明の前述ならびに他の目的、特徴、および利点は、付随の図面に図示されるように、本発明の好ましい実施形態の以下のより具体的説明から明白となるであろう。
本願明細書は、例えば、以下の項目も提供する。
（項目１）
パーソナルオーディオシステムであって、前記パーソナルオーディオシステムは、
再現のためのオーディオのソースであって、前記オーディオのソースは、ソースオーディオ信号を提供する、オーディオのソースと、
第１の変換器であって、前記第１の変換器は、聴取者への再生のための前記ソースオーディオ信号と、前記第１の変換器の音響出力内の周囲オーディオ音の影響を打ち消すための第１の反雑音信号との高周波数コンテンツを再現する、第１の変換器と、
第２の変換器であって、前記第２の変換器は、聴取者への再生のための前記ソースオーディオ信号と、前記第２の変換器の音響出力内の周囲オーディオ音の影響を打ち消すための第２の反雑音信号との低周波数コンテンツを再現する、第２の変換器と、
前記周囲オーディオ音を示す少なくとも１つのマイクロホン信号を提供するための少なくとも１つのマイクロホンと、
第１のフィルタを使用して、前記少なくとも１つのマイクロホン信号と一致するように、前記第１の反雑音信号および前記第２の反雑音信号を前記少なくとも１つのマイクロホン信号から発生させ、前記第１の変換器および前記第２の変換器における前記周囲オーディオ音の存在を低減させる、処理回路であって、前記処理回路は、第２のフィルタを使用して、前記少なくとも１つのマイクロホン信号と一致するように、前記第２の反雑音信号を前記少なくとも１つのマイクロホン信号から発生させ、前記第１の変換器および前記第２の変換器における前記周囲オーディオ音の存在を低減させる、処理回路と
を備える、パーソナルオーディオシステム。
（項目２）
前記第１のフィルタは、前記周囲オーディオ音の存在を低減させるように適応する第１の応答を有する第１の適応フィルタであり、前記第２のフィルタは、前記周囲オーディオ音の存在を低減させるように適応する第２の適応フィルタである、項目１に記載のパーソナルオーディオシステム。
（項目３）
前記処理回路は、前記第１の適応フィルタの第１の周波数応答を第１の既定周波数範囲に限定することによって、前記第１の反雑音信号のコンテンツを前記第１の既定周波数範囲に制限し、前記処理回路は、前記第２の適応フィルタの第２の応答を第２の既定周波数範囲に限定することによって、前記第２の反雑音信号のコンテンツを前記第２の既定周波数範囲に制限し、前記第１の既定周波数範囲および前記第２の既定周波数範囲は、実質的に異なる、項目１に記載のパーソナルオーディオデバイス。
（項目４）
前記第１の変換器および前記第２の変換器の周囲オーディオ音および音響出力を示すエラーマイクロホン信号を提供するためのエラーマイクロホンをさらに備え、前記第１の適応フィルタは、前記エラーマイクロホン信号内に存在する基準マイクロホン信号の成分を最小限にするように適応する第１の係数発生器を有し、前記処理回路は、前記第１の係数発生器に入力された第１の信号の周波数コンテンツを改変することによって、前記第１の周波数応答の適応を制限し、前記第２の適応フィルタは、前記エラーマイクロホン信号内に存在する基準マイクロホン信号の成分を最小限にするように適応する第２の係数発生器を有し、前記処理回路は、前記第２の係数発生器に入力された第２の信号の周波数コンテンツを改変することによって、前記第１の周波数応答の適応を制限する、項目３に記載のパーソナルオーディオデバイス。
（項目５）
前記処理回路は、前記第１の既定周波数範囲内における第１の既定周波数コンテンツを有する第１の付加的信号を、前記第１の係数発生器に入力された前記第１の信号に投入することによって、前記第１の係数発生器に入力された前記第１の信号の周波数コンテンツを改変し、前記処理回路は、前記第２の既定周波数範囲内における第２の既定周波数コンテンツを有する第２の付加的信号を前記第２の係数発生器に入力された前記第２の信号に投入することによって、前記第２の係数発生器に入力された前記第２の信号の周波数コンテンツを改変する、項目４に記載のパーソナルオーディオデバイス。
（項目６）
前記第１の付加的信号および前記第２の付加的信号は、雑音信号である、項目５に記載のパーソナルオーディオデバイス。
（項目７）
前記処理回路は、より高い周波数コンテンツソースオーディオ信号と、より低い周波数コンテンツソースオーディオ信号とを発生させるクロスオーバを提供するために、前記ソースオーディオ信号を受信し、前記ソースオーディオ信号をフィルタ処理し、前記処理回路はさらに、前記より高い周波数コンテンツソースオーディオ信号を前記第１の反雑音信号と組み合わせ、前記より低い周波数コンテンツソースオーディオ信号を前記第２の反雑音信号と組み合わせる、項目１に記載のパーソナルオーディオデバイス。
（項目８）
前記第１の変換器は、イヤースピーカの高周波数変換器であり、前記第２の変換器は、前記イヤースピーカの低周波数変換器である、項目１に記載のパーソナルオーディオデバイス。
（項目９）
第３の変換器であって、前記第３の変換器は、第２のソースオーディオ信号と、前記第３の変換器の音響出力内における周囲オーディオ音の影響を打ち消すための第３の反雑音信号との高周波数コンテンツを再現する、第３の変換器と、
第４の変換器であって、前記第４の変換器は、前記第２のソースオーディオ信号と、前記第４の変換器の音響出力内における周囲オーディオ音の影響を打ち消すための第４の反雑音信号との低周波数コンテンツを再現する、第４の変換器と
をさらに備え、
前記処理回路はさらに、第３のフィルタを使用して、前記少なくとも１つのマイクロホン信号と一致するように、前記第３の反雑音信号および前記第４の反雑音信号を前記少なくとも１つのマイクロホン信号から発生させ、前記第３の変換器における前記周囲オーディオ音の存在を低減させ、前記処理回路は、第４のフィルタを使用して、前記少なくとも１つのマイクロホン信号と一致するように、前記第４の反雑音信号を前記少なくとも１つのマイクロホン信号から発生させ、前記第４の変換器における前記周囲オーディオ音の存在を低減させる、項目８に記載のパーソナルオーディオデバイス。
（項目１０）
パーソナルオーディオシステムによる周囲オーディオ音の影響を打ち消す方法であって、前記方法は、
少なくとも１つのマイクロホン信号を生成するために、少なくとも１つのマイクロホンを用いて、周囲オーディオ音を測定することと、
第１に、第１のフィルタを使用して、前記少なくとも１つのマイクロホン信号と一致するように、第１の反雑音信号を前記少なくとも１つのマイクロホン信号から発生させ、第１の変換器における前記周囲オーディオ音の存在を低減させることと、
第２に、第２のフィルタを使用して、前記少なくとも１つのマイクロホン信号と一致するように、第２の反雑音信号を前記少なくとも１つのマイクロホン信号から発生させ、第２の変換器における前記周囲オーディオ音の存在を低減させることと、
再現のためのオーディオのソースを提供することであって、前記オーディオのソースは、ソースオーディオ信号を提供する、ことと、
前記第１の変換器を用いて、前記ソースオーディオ信号と前記第１の反雑音信号との高周波数コンテンツを再現することと、
前記第２の変換器を用いて、前記ソースオーディオ信号と前記第２の反雑音信号との低周波数コンテンツを再現することと
を含む、方法。
（項目１１）
前記第１のフィルタは、前記周囲オーディオ音の存在を低減させるように適応する第１の応答を有する第１の適応フィルタであり、前記第２のフィルタは、前記周囲オーディオ音の存在を低減させるように適応する第２の適応フィルタである、項目１０に記載の方法。
（項目１２）
前記第１の発生させることは、前記第１の適応フィルタの第１の周波数応答を第１の既定周波数範囲に限定することによって、前記第１の反雑音信号のコンテンツを前記第１の既定周波数範囲に制限することを含み、前記第２の発生させることはさらに、前記第２の適応フィルタの第２の応答を第２の既定周波数範囲に限定することによって、前記第２の反雑音信号のコンテンツを前記第２の既定周波数範囲に制限することを含み、前記第１の既定周波数範囲および前記第２の既定周波数範囲は、実質的に異なる、項目１０に記載の方法。
（項目１３）
エラーマイクロホン信号を発生させるために、エラーマイクロホンを用いて、前記第１の変換器および前記第２の変換器の周囲オーディオ音および音響出力を測定することをさらに含み、前記第１の発生させることは、前記エラーマイクロホン信号内に存在する基準マイクロホン信号の成分を最小限にするために、前記第１の周波数応答を制御する第１の係数発生器の係数を適応させることを含み、前記第２の発生させることは、前記エラーマイクロホン信号内に存在する基準マイクロホン信号の成分を最小限にするために、第２の周波数応答を制御する第２の係数発生器の係数を適応させることを含み、前記第１の発生させることは、前記第１の係数発生器に入力された第１の信号の周波数コンテンツを改変することによって、前記第１の周波数応答の適応を制限し、前記第２の発生させることは、前記第２の係数発生器に入力された第２の信号の周波数コンテンツを改変することによって、前記第２の周波数応答の適応を制限する、項目１２に記載の方法。
（項目１４）
前記第１の発生させることは、前記第１の既定周波数範囲内における第１の既定周波数コンテンツを有する第１の付加的信号を前記第１の係数発生器への少なくとも１つの第１の信号入力に投入することによって、前記第１の周波数応答の適応を制限し、前記第２の発生させることは、前記第２の既定周波数範囲内における第２の既定周波数コンテンツを有する第２の付加的信号を前記第２の係数発生器への少なくとも１つの第２の信号入力に投入することによって、前記第２の周波数応答の適応を制限する、項目１３に記載の方法。
（項目１５）
前記第１の付加的信号および前記第２の付加的信号は、雑音信号である、項目１４に記載の方法。
（項目１６）
より高い周波数コンテンツソースオーディオ信号と、より低い周波数コンテンツソースオーディオ信号とを発生させるクロスオーバを実装するために、前記ソースオーディオ信号を受信し、前記ソースオーディオ信号をフィルタ処理することと、
前記より高い周波数コンテンツソースオーディオ信号を前記第１の反雑音信号と組み合わせることと、
前記より低い周波数コンテンツソースオーディオ信号を前記第２の反雑音信号と組み合わせることと
をさらに含む、項目１０に記載の方法。
（項目１７）
前記第１の変換器は、イヤースピーカの高周波数変換器であり、前記第２の変換器は、前記イヤースピーカの低周波数変換器である、項目１０に記載の方法。
（項目１８）
第３の変換器の音響出力内における周囲オーディオ音の影響を打ち消すために、前記第３の変換器を用いて、第２のソースオーディオ信号と第３の反雑音信号との高周波数コンテンツを再現することと、
第４の変換器の音響出力内における周囲オーディオ音の影響を打ち消すために、前記第４の変換器を用いて、前記第２のソースオーディオ信号と第４の反雑音信号との低周波数コンテンツを再現することと、
第３のフィルタを使用して、前記少なくとも１つのマイクロホン信号と一致するように、前記第３の反雑音信号および前記第４の反雑音信号を前記少なくとも１つのマイクロホン信号から発生させ、前記第３の変換器および前記第４の変換器における前記周囲オーディオ音の存在を低減させる、ことと、
第４のフィルタを使用して、前記少なくとも１つのマイクロホン信号と一致するように、前記第４の反雑音信号を前記少なくとも１つのマイクロホン信号から発生させ、前記第３の変換器および前記第４の変換器における前記周囲オーディオ音の存在を低減させる、ことと
をさらに含む、項目１７に記載の方法。
（項目１９）
パーソナルオーディオシステムの少なくとも一部を実装するための集積回路であって、前記集積回路は、
再現のためのオーディオのソースであって、前記オーディオのソースは、ソースオーディオ信号を提供する、オーディオのソースと、
第１の出力信号を第１の変換器に提供するための第１の出力であって、前記第１の変換器は、前記ソースオーディオ信号と、前記第１の変換器の音響出力内の周囲オーディオ音の影響を打ち消すための第１の反雑音信号との高周波数コンテンツを再現する、第１の出力と、
第２の出力信号を第２の変換器に提供するための第２の出力であって、前記第２の変換器は、聴取者への再生のための第２のソースオーディオと、第２のイヤースピーカの音響出力内の周囲オーディオ音の影響を打ち消すための第２の反雑音信号との両方を含む第２のオーディオ信号を再現する、第２の出力と、
前記周囲オーディオ音を示す少なくとも１つのマイクロホン信号を提供するための少なくとも１つのマイクロホン入力と、
第１のフィルタを使用して、前記少なくとも１つのマイクロホン信号と一致するように、前記第１の反雑音信号および前記第２の反雑音信号を前記少なくとも１つのマイクロホン信号から発生させ、前記第１の変換器および前記第２の変換器における前記周囲オーディオ音の存在を低減させる、処理回路であって、前記処理回路は、第２のフィルタを使用して、前記少なくとも１つのマイクロホン信号と一致するように、前記第２の反雑音信号を前記少なくとも１つのマイクロホン信号から発生させ、前記第１の変換器および前記第２の変換器における前記周囲オーディオ音の存在を低減させる、処理回路と
を備える、集積回路。
（項目２０）
前記第１のフィルタは、前記周囲オーディオ音の存在を低減させるように適応する第１の応答を有する第１の適応フィルタであり、前記第２のフィルタは、前記周囲オーディオ音の存在を低減させるように適応する第２の適応フィルタである、項目１９に記載の集積回路。
（項目２１）
前記処理回路は、前記第１の適応フィルタの第１の周波数応答を第１の既定周波数範囲に限定することによって、前記第１の反雑音信号のコンテンツを前記第１の既定周波数範囲に制限し、前記処理回路は、前記第２の適応フィルタの第２の応答を第２の既定周波数範囲に限定することによって、前記第２の反雑音信号のコンテンツを前記第２の既定周波数範囲に制限し、前記第１の既定周波数範囲および前記第２の既定周波数範囲は、実質的に異なる、項目１９に記載の集積回路。
（項目２２）
前記第１の変換器および前記第２の変換器の周囲オーディオ音および音響出力を示すエラーマイクロホン信号を提供するためのエラーマイクロホンをさらに備え、前記第１の適応フィルタは、前記エラーマイクロホン信号内に存在する基準マイクロホン信号の成分を最小限にするように適応する第１の係数発生器を有し、前記処理回路は、前記第１の係数発生器に入力された第１の信号の周波数コンテンツを改変することによって、前記第１の周波数応答の適応を制限し、前記第２の適応フィルタは、前記エラーマイクロホン信号内に存在する基準マイクロホン信号の成分を最小限にするように適応する第２の係数発生器を有し、前記処理回路は、前記第２の係数発生器に入力された第２の信号の周波数コンテンツを改変することによって、前記第１の周波数応答の適応を制限する、項目２１に記載の集積回路。
（項目２３）
前記処理回路は、前記第１の既定周波数範囲内における第１の既定周波数コンテンツを有する第１の付加的信号を、前記第１の係数発生器に入力された前記第１の信号に投入することによって、前記第１の係数発生器に入力された前記第１の信号の周波数コンテンツを改変し、前記処理回路は、前記第２の既定周波数範囲内における第２の既定周波数コンテンツを有する第２の付加的信号を、第２の第１の係数発生器に入力された前記第２の信号に投入することによって、前記第２の係数発生器に入力された前記第２の信号の周波数コンテンツを改変する、項目２２に記載の集積回路。
（項目２４）
前記第１の付加的信号および前記第２の付加的信号は、雑音信号である、項目２３に記載の集積回路。
（項目２５）
前記処理回路は、より高い周波数コンテンツソースオーディオ信号と、より低い周波数コンテンツソースオーディオ信号とを発生させるクロスオーバを提供するために、前記ソースオーディオ信号を受信し、前記ソースオーディオ信号をフィルタ処理し、前記処理回路はさらに、前記より高い周波数コンテンツソースオーディオ信号を前記第１の反雑音信号と組み合わせ、前記より低い周波数コンテンツソースオーディオ信号を前記第２の反雑音信号と組み合わせる、項目１９に記載の集積回路。
（項目２６）
前記第１の変換器は、イヤースピーカの高周波数変換器であり、前記第２の変換器は、前記イヤースピーカの低周波数変換器である、項目１９に記載の集積回路。
（項目２７）
第３の出力信号を第３の変換器に提供するための第３の出力であって、前記第３の変換器は、第２のソースオーディオ信号と、前記第３の変換器の音響出力内における周囲オーディオ音の影響を打ち消すための第３の反雑音信号との高周波数コンテンツを再現する、第３の出力と、
第４の出力信号を第４の変換器に提供するための第４の出力であって、前記第４の変換器は、前記第２のソースオーディオ信号と、第４の変換器の音響出力内における周囲オーディオ音の影響を打ち消すための第４の反雑音信号との低周波数コンテンツを再現する、第４の出力と
をさらに備え、
前記処理回路はさらに、第３のフィルタを使用して、前記少なくとも１つのマイクロホン信号と一致するように、前記第３の反雑音信号および前記第４の反雑音信号を前記少なくとも１つのマイクロホン信号から発生させ、前記第３の変換器および前記第４の変換器における前記周囲オーディオ音の存在を低減させ、前記処理回路は、第４のフィルタを使用して、前記少なくとも１つのマイクロホン信号と一致するように、前記第４の反雑音信号を前記少なくとも１つのマイクロホン信号から発生させ、前記第３の変換器および前記第４の変換器における前記周囲オーディオ音の存在を低減させる、項目２６に記載の集積回路。
（項目２８）
パーソナルオーディオシステムであって、前記パーソナルオーディオシステムは、
複数の出力変換器と、
周囲オーディオ音を示す少なくとも１つのマイクロホン信号を提供するための少なくとも１つのマイクロホンと、
適応雑音消去を実装する処理回路と
を備え、
複数の適応フィルタは、前記複数の出力変換器のうちの対応する出力変換器のための複数の反雑音信号を発生させ、複数の周波数帯のうちの対応する周波数帯内の前記複数の反雑音信号を発生させることによって、前記少なくとも１つのマイクロホン信号を前記複数の出力変換器に対応する前記複数の周波数帯に分離するためのクロスオーバとして動作する、パーソナルオーディオシステム。
（項目２９）
パーソナルオーディオシステムによって、周囲オーディオ音の影響を打ち消す方法であって、前記方法は、
少なくとも１つのマイクロホン信号を発生させるために、少なくとも１つのマイクロホンを用いて周囲オーディオ音を測定することと、
複数の適応フィルタのうちの対応する適応フィルタを使用して、複数の出力変換器のうちの対応する出力変換器に提供するための複数の反雑音信号を発生させることと
を含み、
前記対応する適応フィルタは、複数の周波数帯のうちの対応する周波数帯内の前記複数の反雑音信号を発生させることによって、前記少なくとも１つのマイクロホン信号を前記複数の出力変換器に対応する前記複数の周波数帯に分離するためのクロスオーバとして動作する、方法。
（項目３０）
パーソナルオーディオシステムの少なくとも一部を実装するための集積回路であって、前記集積回路は、
複数の出力信号を複数の出力変換器のうちの対応する出力変換器に提供するための複数の出力と、
周囲オーディオ音を示す少なくとも１つのマイクロホン信号を受信するための少なくとも１つのマイクロホン入力と、
適応雑音消去を実装する、処理回路と
を備え、
複数の適応フィルタは、前記複数の出力のうちの対応する出力において複数の反雑音信号を発生させ、複数の周波数帯のうちの対応する周波数帯内の前記複数の反雑音信号を発生させることによって、前記少なくとも１つのマイクロホン信号を前記複数の出力変換器に対応する前記複数の周波数帯に分離するためクロスオーバとして動作する、集積回路。